(57)【要約】【課題】蓋体の取り外しと熱収縮性フィルムの開封とを同時にでき、且つ、安価な包装体を提供することを課題とする【解決手段】蓋体６は、容器本体２の開口部を閉塞する閉塞部７と、閉塞部７から下方に延設され、且つ、容器本体２の側壁部４１の外側に位置する延設部８とを有し、熱収縮性フィルム９は、蓋体６の延設部８に熱収縮装着される第１装着部９１と、容器本体２の側壁部４１に熱収縮装着される第２装着部９２と、第１装着部９１と第２装着部９２との間に位置し、延設部８の下端部の下方において、側壁部４１から浮いた非密着部９３とを有し、第１装着部９１には、周方向に沿ってミシン目９４が形成され、非密着部９３には、一端部がミシン目９４に連設された切込線９６，９６’が縦方向に形成されている包装体１を提供する。【選択図】      図１
2008087766.tif 000002
【特許請求の範囲】
【請求項１】
底部から立設された側壁部を有する上面開口型の容器本体と、容器本体に取り付けられた蓋体と、容器本体及び蓋体に跨って装着された熱収縮性フィルムと、を備え、
蓋体は、容器本体に取り付けられた際、容器本体の側壁部の外側に位置する延設部を有し、熱収縮性フィルムは、蓋体の延設部に熱収縮装着される第１装着部と、容器本体の側壁部に熱収縮装着される第２装着部と、第１装着部と第２装着部との間に位置し、且つ延設部の下方において側壁部から浮いた非密着部と、を有し、
熱収縮性フィルムの第１装着部には、周方向に沿ってミシン目が形成され、非密着部には、上端部がミシン目に連設された少なくとも１本の切込線が縦方向に形成されていることを特徴とする包装体。
【請求項２】
前記切込線が、少なくとも左右一対設けられている請求項１に記載の包装体。
【請求項３】
前記左右一対の切込線が、ミシン目に近づくに従って離反するように形成されている請求項２に記載の包装体。
【発明の詳細な説明】
【技術分野】
【０００１】
本発明は、容器本体と、容器本体に外嵌される蓋体と、蓋体を外れないように封止すべく、容器本体と蓋体とに跨って装着される熱収縮性フィルムと、を備えた包装体に関する。
【背景技術】
【０００２】
従来、例えば、アイスクリーム、菓子、固形スープ等の食品や玩具等の収容物を収容する容器として、収容部を有する容器本体と、容器本体に嵌められ、容器本体の収容部を閉塞する蓋体と、を備えたものが広く用いられている。かかる容器において、蓋体は、容器本体に嵌め合わせて取り付けられているので、搬送途中などに於いて、蓋体が不用意に外れることがある。かかる蓋体の外れを防止するために、容器本体と蓋体に跨って、封止用の熱収縮性フィルムが装着されている。
【０００３】
しかし、上記フィルムで封止された包装体内から、収容物を取り出すためには、熱収縮性フィルムを開封した後、容器本体から蓋体を取り外すという２つの作業を要する。
【０００４】
上記熱収縮性フィルムの開封及び蓋体の取り外しを容易に行える技術が特許文献１に開示されている。
具体的には、特許文献１には、容器本体と、容器本体の開口部を閉塞するゴムキャップと、容器本体とゴムキャップとに跨って装着されたシュリンク包装とを備える包装用容器が開示されている。ゴムキャップには、シュリンク包装の上から指先を引っ掛けてゴムキャップを押し上げることができる指掛け部が形成されている。かかる指掛け部は、例えば、ゴムキャップの一部に、指先が引っ掛かる程度の大きさの凹状部又は凸状部を形成することによって実現される。また、シュリンク包装には、容器本体の開口部に対応する部分にミシン目が形成されている。
かかる包装用容器内から収容物を取り出すには、シュリンク包装の上から指掛け部に指先を引っ掛けてゴムキャップを押し上げる。ゴムキャップが押し上げられると、ミシン目に沿ってシュリンク包装が破れると共に、ゴムキャップが容器本体から取り外れる。従って、シュリンク包装の開封とゴムキャップの取り外しとを同時に行うことができるので、収容物を容易に取り出すことができる。
【０００５】
しかしながら、特許文献１の技術では、キャップを強く押し上げなければ、キャップとシュリンク包装の開封を同時に行うことができない。
また、キャップに指掛け部を形成する必要があるため、包装体の製造コストが上昇するという問題がある。つまり、容器の形状は様々で、それに応じて様々な形状のキャップが用いられるが、各キャップごとに指掛け部を形成するためには、新たな金型を製造しなければならない。特に、蓋体を紙等のシート材から形成する場合、上記のような指掛け部を形成することは極めて困難である。
【０００６】
【特許文献１】実公平４−３３２４９号公報
【発明の開示】
【発明が解決しようとする課題】
【０００７】
そこで、本発明は、蓋体の取り外しと熱収縮性フィルムの開封を同時に且つ容易に行うことができる包装体を提供することを課題とする。
【課題を解決するための手段】
【０００８】
本発明は、 底部から立設された側壁部を有する上面開口型の容器本体と、容器本体に取り付けられる蓋体と、容器本体及び蓋体に跨って装着される熱収縮性フィルムと、を備え、蓋体は、容器本体に取り付けられた際、容器本体の側壁部の外側に位置する延設部を有し、熱収縮性フィルムは、蓋体の延設部に熱収縮装着される第１装着部と、容器本体の側壁部に熱収縮装着される第２装着部と、第１装着部と第２装着部との間に位置し、且つ延設部の下方において側壁部から浮いた非密着部と、を有し、熱収縮性フィルムの第１装着部には、周方向に沿ってミシン目が形成され、非密着部には、上端部がミシン目に連設された少なくとも１本の切込線が縦方向に形成されている包装体を提供する。
【０００９】
本発明に係る包装体は、容器本体及び蓋体に跨って熱収縮性フィルムが装着されているので、蓋体が容器本体から外れないように封止されている。
蓋体は、取り付けられた状態に於いて、容器本体の側壁部の外側に位置する延設部を有する。従って、蓋体の延設部の下方と容器本体の側壁部の境界部分に段差が生じ、この延設部の下端部に指を掛けることができる。
一方、熱収縮性フィルムの第１装着部には、周方向に沿ってミシン目が形成され、熱収縮性フィルムの第１装着部と第２装着部の間には、容器本体の側壁部から浮いた非密着部が有されている。さらに、この非密着部には、上記ミシン目に上端部が連設された、切込線が縦方向に形成されている。従って、熱収縮性フィルムが装着された蓋体の延設部の下端部であって切込線に対応する部分に指を掛け、蓋体を押し上げると、切込線の上端部を開裂起点として、ミシン目に沿って熱収縮性フィルムが分断される。よって、該包装体は、蓋体の取り外しと熱収縮性フィルムの開封を同時に行うことができる。
【００１０】
好ましい態様として、切込線が、少なくとも左右一対設けられている構成を挙げることができる。かかる包装体は、ミシン目に連設された切込線が左右一対設けられているので、蓋体を押し上げた際、ミシン目の開裂起点が２以上生じるので、熱収縮性フィルムが更に分断され易くなる。
【００１１】
また、より好ましい態様として、左右一対の切込線が、ミシン目に近づくに従って互いに離反するように形成されている構成を挙げることができる。例えば、左右一対の切込線が逆ハの字傾斜状に形成されている構成が例示される。かかる包装体は、蓋体を押し上げた際、ミシン目の開裂起点に於いて上下方向引張り力が作用し易い。このため、より小さな力で以て、蓋体の取り外しと熱収縮性フィルムの開封を同時に行うことができる。
【発明の効果】
【００１２】
本発明に係る包装体は、蓋体の取り外しと熱収縮性フィルムの開封を同時に行うことができる。また、本発明に係る包装体は、比較的小さな押し上げ力で以て、両者を同時に開封することができる。
【発明を実施するための最良の形態】
【００１３】
以下、本発明について、図面を参照しつつ具体的に説明する。
図１に於いて、１は、容器本体２と、容器本体２に外嵌された蓋体６と、容器本体２及び蓋体６に跨って装着された筒状の熱収縮性フィルム９とを備えた包装体を示す。
【００１４】
図２に示すように、容器本体２は、凹状の上面開口型に形成されている。かかる容器本体２は、それぞれ薄肉状に形成された底部材３と側壁部材４とから構成されている。底部材３及び側壁部材４を形成する材質は、特に限定されるものでなく、紙（合成樹脂フィルムがラミネートされた紙材を含む）、合成紙、合成樹脂シート、これらの積層シート等のシート材を用いることができる。  
尚、図示した容器本体２は、シート材を組み立てたもので構成されている（例えば、所謂紙カップ）。もっとも、容器本体２は、合成樹脂成型品（シート成形品や射出成型品等）でも良い。
【００１５】
底部材３は、底部３１と糸尻部３２とを備えている。底部３１は、略円状に形成され、糸尻部３２は、底部３１の外周部全体から下方に延出し底面視環状に形成されている。
尚、底部３１は、略円状に限定されるものでなく、例えば、正六角形、正八角形等の多角形状に形成しても良い。
【００１６】
一方、側壁部材４は、側壁部４１、糸尻部４２及び係止部４３を備えている。
側壁部４１は、上方に向かうに従い大径となるテーパ状の円筒状に形成されている。かかる側壁部４１の内側には、底部材３が嵌め込まれ、側壁部４１の内周面と底部材３の糸尻部３２の外周面とが接着されている。かかる側壁部４１と底部材３の底部３１によって、上面に開口部が形成された収容部５が形成されている。
尚、側壁部４１は、円筒状に限定されるものでなく、例えば、横断面多角形状の筒状に形成されても良い。また、側壁部４１は、テーパ状に限定されるものでなく、直胴状に形成されても良い。
糸尻部４２は、底部材３の糸尻部３２を覆うように、側壁部４１の下端部から糸尻部３２の内側に回り込み、糸尻部３２の外周面及び内周面に接着されている。
係止部４３は、側壁部４１の上端部から側壁部４１の径外方向に延出した環状に形成されている。本実施形態においては、係止部４３は、シート材を側壁部４１の上端において側壁部４１の径外方向にカールさせることで形成されている。
尚、係止部４３は、側壁部４１と同一部材で一体的に形成する構成に限られず、例えば、側壁部４１の構成部材と別部材を側壁部４１の上端部に係合させて構成してもよい。
【００１７】
容器本体２に取り付けられる蓋体６は、収容部５の開口部を閉塞する閉塞部７と、閉塞部７から下方に延設され、且つ、容器本体２に嵌着した際に、側壁部４１の外側に位置する延設部８と、を有している。蓋体６の材質は、特に限定されるものでなく、容器本体２と同様に、紙（合成樹脂フィルムがラミネートされた紙材を含む）、合成紙、合成樹脂シート、これらの積層シート等のシート材を用いることができる。
尚、図示した蓋体６は、シート材を組み立てたもので構成されている（例えば、紙を凹状に形成した紙蓋）。もちろん、蓋体６についても、合成樹脂成型品（シート成形品や射出成型品等）で形成しても良い。
【００１８】
閉塞部７は、略円状に形成されている。閉塞部７の径は、係止部４３の外径よりも大きく形成されている。かかる閉塞部７は、係止部４３の上端部に載置され、開口部を閉塞する。
延設部８は、外環部８１と内環部８２とを有している。外環部８１は、閉塞部７の周縁部全周から下方に延出した環状に形成されている。一方、内環部８２は、外環部８１の下端部から内側上方に延設され、外環部８１の内周面に沿った環状に形成されている。かかる内環部８２の内径は、容器本体２の側壁部４１の外径より大きく形成されている。よって、嵌着された蓋体６の延設部８は、側壁部４１の外側に位置しており、この延設部８と側壁部４１の間には隙間部８３を有する。
蓋体６の延設部８の下方延出長さは、容器本体２の側壁部４１の上下方向長さよりも短く、例えば、側壁部４１の上下方向長さの１／５０倍〜１／４倍程度が好ましく、具体的長さとして、５〜２５ｍｍを挙げることができる。
このように、延設部８が側壁部４１より短く形成されており、且つ、延設部８の外径が側壁部４１の外形よりも大きいため、該延設部８の下方側と側壁部４１の境界部分に径方向の段差が生じている。
かかる段差が生じることにより、延設部８の下端部に指等を引っ掛けて、蓋体６を上方へと押し上げ、蓋体６を容器本体２から取り外すことができる。
【００１９】
なお、延設部８を構成する内環部８２は、その上端部が閉塞部７にまで達しない上下長さに形成されている。好ましくは、該内環部８２の上端部と閉塞部７の間に、容器本体２の係止部４３が嵌り込む隙間が確保される程度の上下長さに形成される。また、内環部８２の内径は、係止部４３の外径より小さく形成されている。
よって、蓋体６を容器本体２に外嵌した際、蓋体６の内環部８２の上端部と閉塞部７の間の隙間に、容器本体２の係止部４３が嵌り込んで、蓋体６が容器本体２に嵌着される。かかる凹凸嵌合によって容器本体２に嵌着された蓋体６は、上述のように、容器本体２の上方側へ上げることによって、取り外すことができる。
【００２０】
次に、容器本体２及び蓋体６には、両者に跨って、筒状の熱収縮性フィルム９が熱収縮装着されている。
この熱収縮性フィルム９の材質は、特に限定されず、例えば、ポリスチレンなどのスチレン系樹脂、ポリエチレンテレフタレート、ポリ乳酸などのポリエステル系樹脂、ポリプロピレン、環状オレフィンなどのオレフィン系樹脂、ポリカーボネート、塩化ビニル系樹脂などの熱可塑性樹脂からから選ばれる１種単独、又は２種以上の混合物などを含むフィルムを用いることができる。また、該フィルムとしては、熱収縮性を有する２種以上のフィルムが積層された積層フィルムや、金属蒸着層などの非熱収縮層が熱収縮性を有するフィルムに積層された積層フィルムでもよい。フィルムは公知の製法で製膜し延伸処理することにより熱収縮性を付与できる。延伸処理は、通常、７０〜１１０℃程度の温度で、幅方向（筒状に形成した際に周方向。以下、同じ）に２．０〜８．０倍、好ましくは３．０〜７．０倍程度延伸することにより行われる。更に、長手方向（筒状に形成した際に縦方向。以下同じ）にも、例えば１．５倍以下の低倍率で延伸処理を行ってもよい。得られたフィルムは、一軸延伸フィルム又は主延伸方向と直交する方向に若干延伸された二軸延伸フィルムとなる。
熱収縮性フィルムの厚みは、特に限定されないが、例えば２０〜８０μｍ、更に、２０〜６０μｍ程度のものを用いることができる。
【００２１】
熱収縮性フィルム９の熱収縮率としては、熱収縮により容器本体２及び蓋体６に密着可能な程度であれば特に限定されないが、通常、幅方向に於ける熱収縮率（９０℃温水中に１０秒間浸漬）は約４０％以上、好ましくは約５０％以上のものが例示される。また、フィルムは長手方向に若干熱収縮してもよく、かかる長手方向に於ける熱収縮率（９０℃温水中に１０秒間浸漬）は、約−３〜１５％程度のものが例示される。
但し、熱収縮率（％）＝［｛（幅方向（又は長手方向）の元の長さ）−（幅方向（又は長手方向）の浸漬後の長さ）｝／（幅方向（又は長手方向）の元の長さ）］×１００。
【００２２】
上記熱収縮性フィルム９は、図１及び図４に示すように、筒状に形成されている。つまり、矩形状のフィルムの両側端部を重ね合わせて接着することにより、熱収縮性フィルム９は筒状に形成されている（なお、接着部分（センターシール部）は、全ての図に於いて不図示）。該筒状の熱収縮性フィルム９を容器装着部位毎に区分けすると、蓋体６の延設部８の外周面に密着する第１装着部９１と、容器本体２の側壁部４１の外周面に密着する第２装着部９２と、第１装着部９１及び第２装着部９２の間であって、容器本体２の側壁部４１に密着しない非密着部９３と、を有している。
具体的には、熱収縮性フィルム９の第１装着部９１は、図３に示すように、閉塞部７の上面部の周縁にも熱収縮装着されている。従って、装着された筒状の熱収縮性フィルム９の第１装着部９１は、延設部８の外周面全体及び閉塞部７の周縁部に跨って密着している。
尚、フィルム９の第１装着部９１を、蓋体６の上面部の周縁部にまで亘って装着しているのは、筒状のフィルム９によって蓋体６を封止するためである。従って、筒状の熱収縮性フィルム９によって、蓋体６を封止可能であれば、必ずしも蓋体６の上面部の周縁にまでフィルム９を装着する必要はない。例えば、蓋体６の延設部８が、上方に向かうに従って縮径する筒状に形成されている場合や、該延設部８の外周面が、凹凸状に形成されている場合には、フィルム９の第１装着部９１を延設部８にのみ装着するだけで、蓋体６が外れないように封止できる。
【００２３】
一方、フィルム９の第２装着部９２は、容器本体２の側壁部４１の外周面のうち、延設部８の下端部より下方の部分に熱収縮装着されている。本実施形態においては、容器本体２の側壁部４１は、下方に向かうに従い縮径する筒状に形成されているので、該側壁部４１に第２装着部９２を密着させることで、筒状の熱収縮性フィルム９全体が、容器の上下いずれかの方向に抜け出ることはない。
【００２４】
筒状の熱収縮性フィルム９は、上記例示した各種材質の熱収縮性フィルム原反の両側端部を重ね合て筒状とし、これを所定長さに裁断することで得ることができる。得られた筒状の熱収縮性フィルム９は、容器本体２及び蓋体６に被せて、主として周方向（径方向）に熱収縮させることによって装着される。
このように熱収縮性フィルム９は周方向に収縮するので、その性質上、図１に示すように、蓋体６の延設部８に対応する第１装着部９１は、該延設部８に密着すると共に蓋体６の上面部に密着し、容器本体２の側壁部４１に対応する第２装着部９２は、側壁部４１に密着する。一方、容器の段差部分（蓋体６の下方と容器本体２の側壁部４１の境界部分）に対応する非密着部９３は、容器本体２の側壁部４１に密着せずに浮いた状態となる。なぜなら、熱収縮させた熱収縮性フィルム９は、その性質上、段差における直角部分に沿って密着し難いからである。
【００２５】
次に、筒状の熱収縮性フィルム９には、図１及び図４に示すように、周方向と平行な少なくとも１本のミシン目９４と副ミシン目９５とが形成されている。
ミシン目９４は、熱収縮性フィルム９の一部分（図４（ａ）では中央部）を除き、周方向に形成されている。従って、ミシン目９４は、２箇所の端部を有する有端状に形成されている。かかるミシン目９４は、蓋体６の延設部８に対応する第１装着部９１に形成されている。よって、熱収縮性フィルム９が装着されると、ミシン目９４は、延設部８の対応領域内に於いて、延設部８の周方向に沿って配置される。
好ましくは、ミシン目９４は、延設部８の下端部よりも上側に配置にされるように形成される。更に、ミシン目９４は、延設部８の上端部よりも下方位置に形成されるのが好ましい。
一方、副ミシン目９５は、ミシン目９４の下側に形成されている。かかる副ミシン目９５は、熱収縮性フィルム９の周方向全体に亘って形成され（無端状に形成され）、容器本体２の側壁部４１に対応する第２装着部９２に形成されている。よって、熱収縮性フィルム９が装着されると、副ミシン目９５は、側壁部４１の対応領域内に於いて、側壁部４１の周方向に沿って配置される。
尚、副ミシン目９５は、非密着部９３に形成されても良い。但し、非密着部９３に形成すると、熱収縮性フィルム９を容器本体２に熱収縮装着する際に、次に説明するように副ミシン目９５を形成する貫通孔が繋がり、熱収縮性フィルム９が副ミシン目９５で上下に分断される恐れがあるため、副ミシン目９５は、第２装着部９２に形成することが好ましい。
【００２６】
ここで、ミシン目とは、ミシン針の縫い跡の如く、熱収縮性フィルム９の表裏面に貫通する貫通孔と非貫通部が交互に形成されたものを言う。該貫通孔は、正面視針穴状（円形孔又は楕円形孔）、正面視細長い直線状などに形成される。図４（ｃ）に示すように、上記ミシン目９４及び副ミシン目９５の貫通孔Ａの長さ（針穴状の場合には直径）と非貫通部Ｂの長さ（隣合う貫通孔Ａ間の距離）は、特に限定されず、適宜に設定できる。
ミシン目９４は、指等で蓋体６の延設部８の下端部を上方に押し上げた時に裂ける程度の連結力があればよく、従来公知のミシン目を適用できる。具体的には、ミシン目９４の貫通孔Ａの長さは、例えば、０．５ｍｍ〜２．０ｍｍ程度が好ましく、ミシン目９４の非貫通部Ｂの長さは、０．５ｍｍ〜１．０ｍｍ程度が好ましい。
また、副ミシン目９５は、ミシン目９４と副ミシン目９５との間の熱収縮性フィルム９の部分を指等で引っ張った時に裂ける程度の連結力があればよく、従って、副ミシン目９５の貫通孔Ａの長さは、例えば、０．５ｍｍ〜２．０ｍｍ程度が好ましく、副ミシン目９５の非貫通部Ｂの長さは、０．５ｍｍ〜１．０ｍｍ程度が好ましい。
【００２７】
更に、熱収縮性フィルム９の非密着部９３には、上端部がミシン目９４に連設された左右一対の切込線９６，９６’が縦方向に形成されている。かかる一対の切込線９６，９６’は、周方向に互いに離れて設けられ、ミシン目９４に近づくに従い離れて行くように形成されている（例えば、正面視逆ハの字状）。
具体的には、切込線９６の上端部は、ミシン目９４の一方の端部（以下、連設端部Ｐという）に、切込線９６’の上端部は、ミシン目９４の他方の端部（以下、連設端部Ｐ’という）に連設されている。該切込線９６，９６’は、ミシン目９４が形成される方向に対して所定角θを成して形成されている。このように切込線９６，９６’は、ミシン目９４に対して縦方向（所定角）に形成されていればよいが、好ましくは、切込線９６，９６’は、ミシン目９４に対して直角、又は、同ミシン目９４に対して鈍角に形成されていることが好ましい。なぜなら、蓋体６の延設部８の下端部を上方に押し上げた時に、ミシン目９４に沿って熱収縮性フィルム９の第１装着部９１を良好に分断できるからである。特に好ましくは、切込線９６，９６’は、ミシン目９４に対して鈍角に形成されているのがよい。この所定角θとしては、特に限定されないが、１２０度〜１６０度を程度が好ましい。
左右一対のミシン目９６，９６’は、ミシン目９４に対して略同じ角度で形成されていることが好ましいが、左右一対のミシン目９６，９６’は、それぞれミシン目９４に対して異なる角度に形成されていてもよい。
なお、切込線９６，９６’の下端部は、副ミシン目９５にそれぞれ連設されている。
【００２８】
切込線９６，９６’は、熱収縮性フィルム９の表裏面に貫通する細長い直線状、折れ線状、曲線状などの１本の切り目（細長い貫通孔）でもよいし、又、上記ミシン目９４のような短い貫通孔と非貫通部が交互に形成されたものでもよい。なかでも、切込線９６，９６’は、表裏面に貫通する細長い直線状の１本の切り目で形成されていることが好ましい。なぜなら、筒状の熱収縮性フィルム９を容器本体２及び蓋体６に熱収縮装着した際に、該フィルム９が周方向に収縮して引っ張られるため、図１に示すように、切込線９６、９６'が周方向に幅を持った開口９７，９７’となって現れるからである  
【００２９】
更に、本実施形態では、左右一対の切込線９６，９６’の間に、副切込線９８が形成されている。
この副切込線９８は、少なくとも一部分が筒状の熱収縮性フィルム９の周方向に対して所定の角度を成し、例えば、図４（ａ）に示すように、正面視山型に形成することができる。副切込線９８についても、切込線９６と同様に、切り目又はミシン目の何れでもよいが、なかでも、副切込線９８は、切り目が好ましい。なぜなら、切込線９６，９６’と同様に、熱収縮性フィルム９を熱収縮した際、副切込線９８が開口９９となって現れるからである（図１）。
かかる副切込線９８は、両端部が副ミシン目９５と連設されている。従って、副切込線９８の端部は、副ミシン目９５を介して切込線９６，９６’の下端部に連設されている。  また、副切込線９８は、正面視山型に形成されており、中間部が非密着部９３に形成されている。このように副切込線９８の少なくともその一部が非密着部９３に形成されていると、開口９９が非密着部９３に現れ、開口９９に指を入れて、蓋体６の延出部８の下端部を押し上げることができる。  
また、副切込線９８と切込線９６、９６’との間は、特に限定されないが、開口９９と開口９７、９７’の下端部との間に於ける副ミシン目９５の長さが、１〜２０ｍｍ、好ましくは、３〜１５ｍｍとなるような長さとすることができる。
【００３０】
以上の構成の包装体１は、容器本体２に蓋体６を被せて、係止部４３と内環部８２を係合させて、蓋体６を容器本体２に外嵌する。次に、筒状に形成された熱収縮性フィルム９を、容器本体２及び蓋体６に被せて、熱収縮させることで得ることができる。
得られた包装体は、図１に示すように、熱収縮性フィルム９の第１密着部９１が蓋体６の延設部８及び閉塞部７に密着し、且つフィルム９の第２密着部９２が容器本体２の側壁部４１に密着すると共に、切込線９６，９６’及び副切込線９８が拡がって開口９７，９７’，９９が生じる。
【００３１】
かかる包装体１において、収容部５に収容された収容物は、容器本体２から蓋体６を取り外して取り出される。
容器本体２から蓋体６を取り外す際には、開口９９に指を入れ、蓋体６の延出部８の下端部に指を掛けて押し上げる。
蓋体６を押し上げると、蓋体６に伴われて第１装着部９１が上方に引っ張られる一方で、第２装着部９２は容器本体２に固定されているため、切込線９６，９６’の下端部と副切込線９８の間に於ける副ミシン目９５に上下方向の引張力が作用し、副ミシン目９５の当該部分が裂ける。これにより、開口９９と開口９７、９７’が繋がって、上下方向の引張力が次に連設端部Ｐ、Ｐ’に作用し、これにより連設端部Ｐ，Ｐ’を開裂起点として、第１装着部９１がミシン目９４に沿って周方向に分断される。ミシン目９４に沿って第１装着部９１が裂けると、図５に示すように、第１装着部９１のミシン目９４を基準に、その上方部分と蓋体６が容器本体２から分離され、蓋体６を容器本体２から取り外すことができる。
このように本発明の包装体１は、蓋体６の取り外しと熱収縮性フィルム９の開封を同時に行うことができる。
なお、蓋体６を容器本体２から取り外した後、容器本体２の側壁部４１には、フィルム９の下方領域（第２装着部９２）が付いたままになっている。必要に応じて、副ミシン目９５を利用して、熱収縮性フィルム９の第２装着部９２を分断すれば、熱収縮性フィルム９を容器から完全に除去できる。
【００３２】
上記包装体１は、熱収縮性フィルム９に縦方向に延びる切込線９６，９６’及び副切込線９８が形成されているので、フィルム９を熱収縮装着した際、該切込線に於いて開口９７，９７’，９９を生じる。かかる開口は、熱収縮性フィルム９の開封口として利用できる。
さらに、切込線９６，９６’は、上端部がミシン目９４に連設され且つ左右一対設けられているので、連設起点Ｐ，Ｐ’からミシン目９４に沿って、熱収縮性フィルム９が良好に切断される。このため、比較的小さな力で蓋体６を押し上げることで、蓋体６の開封と熱収縮性フィルム９の開封（分断）を同時に行うことができる。特に、切込線９６，９６’は、ミシン目９４に対して鈍角状に形成されているので、蓋体６を押し上げた際、熱収縮性フィルム９に加わる上下方向引張り力が、連設端部Ｐ，Ｐ’を起点にして周方向に作用し易い。このため、小さな力で熱収縮性フィルム９を分断できる。
また、本発明の包装体１は、従来技術のように、蓋体に指掛け部等の部分を別個に形成する必要がないので、従来から汎用的に用いられている容器に適用することができる。
【００３３】
次に、本発明の包装体１の変形例を示す。
上記実施形態に係る包装体１は、容器本体２の側壁部４１と蓋体６の延設部８との間に隙間部８３が形成されているが、例えば、図６に示すように、側壁部４１の外周面と内環部８２の内周面が接していても良い。このように側壁部４１と延設部８が接していても、蓋体６の延設部８の厚み相当分の段差が生じ、蓋体６の延設部８の下端部に指を掛けて蓋体６を押し上げることができるからである。
また、蓋体６の延設部８は、外環部８１と内環部８２を有する構成に限らず、例えば外環部８１のみから構成されていても良い。外環部８１のみから構成される場合、外環部８１の内周面に、係止部４３と係合可能な係合突起を適宜箇所に突設しておくのが好ましい。
【００３４】
また、上記実施形態では、熱収縮性フィルム９の第２装着部９２は、容器本体２の側壁部４１のみに装着されているが、例えば、該第２装着部９２を、側壁部４１の下端部から容器本体２の底部３１に周り込むように装着しても良い。第２装着部９２を底部３１にまで装着すると、熱収縮性フィルム９が上方にずれる虞がない。かかる底部３１にまで装着する態様は、例えば直胴状の側壁部４１を有する容器本体２に対して筒状の熱収縮フィルム９を装着する際に好ましい態様である。
【００３５】
次に、熱収縮性フィルム９の変形例を示す。ただし、以下の変形例においては、熱収縮性フィルム９に形成されるミシン目及び切込線が上記実施形態と異なり、その他の点については、上記実施形態の包装体１と同じ構成である。
＜変形例１＞
図７に示す熱収縮性フィルム９は、副ミシン目９５が形成されておらず、切断用ミシン目１０１が、切込線９６の下端部と副切込線９８の一端部の間、及び、切込線９６’の下端部と副切込線９８の他端部の間に形成されている。
この切断用ミシン目１０１は、切込線９６，９６’の下端部と副切込線９８の端部が近接している場合には、形成しなくてもよい。
本変形例の熱収縮性フィルム９を用いた包装体１も、上記実施形態と同様の作用効果を有する。
【００３６】
＜変形例２＞
図８に示す熱収縮性フィルム９は、図４の熱収縮性フィルム９に比して、副切込線９８が形成されていない態様である。この場合、切込線９６と切込線９６’の下端部は、副ミシン目９５を介して連結されている。本変形例のように、副切込線９８が形成されていない場合は、切込線９６，９６’間の非密着部９３（図８に於いて、Ｓで示す部分）を外側から内側に押し付ける。蓋体６の延設部８と容器本体２の上方部の間には、隙間部８３を有するので、非密着部９３の部分Ｓを外側から内側に押し付けると、蓋体６の延設部８が撓む。延設部８の撓みに追従してフィルム９の非密着部９３が変形するので、切込線９６，９６’間に於ける副ミシン目９５が裂ける。これにより、切込線９６，９６’が繋がって、非密着部９３の部分Ｓが大きく開口する。
大きく開口した部分Ｓを通じて、蓋体６の延設部８の下端部に指を掛け、蓋体６を上方へ押し上げると、上記実施形態と同様に、ミシン目９４に沿って第１装着部９１が裂け、蓋体６の取り外しと熱収縮性フィルム９の開封を同時に行うことができる。
【００３７】
＜変形例３＞
図９に示す熱収縮性フィルム９は、切込線９６と切込線９６’は、その下端部同士が連設されている態様である。なお、図示したように、副ミシン目９５は形成してなくてもよいし、或いは、形成してもよい。本変形例の熱収縮性フィルム９を用いた包装体１も、上記実施形態と同様にして、蓋体６と熱収縮性フィルム９を同時に開封できる。
【００３８】
＜変形例４＞
図１０に示す熱収縮性フィルム９は、副切込線９８が形成されておらず、切込線９６，９６’の下端部の間に、切断用切込線１０２が設けられている。この切断用切込線１０２は、表裏面に貫通し、周方向に平行な細長い直線状の１本の切断用貫通孔１０２ａと、その両側に形成された切断用ミシン目１０２ｂと、から構成されている。本変形例の熱収縮性フィルム９を用いた包装体１も、変形例３と同様にして、蓋体６と熱収縮性フィルム９を同時に開封できる。
【００３９】
＜変形例５＞
図１１に示す熱収縮性フィルム９は、第１装着部９１に形成されたミシン目９４が、第１ミシン目９４ａと第２ミシン目９４ａ’とから構成されている。
具体的には、第１ミシン目９４ａ及び第２ミシン目９４ａ’は、それぞれ筒状の熱収縮性フィルム９の略半周の長さに形成されている。
この第１ミシン目９４ａの一方の端部Ｐは、一方の切込線９６の上端部と連設され、第２ミシン目９４ａ’の一方の端部Ｐ’は、他方の切込線９６’の上端部と連設されている。第１のミシン目９４ａの他方の端部Ｑと第２のミシン目９４ａ’の他方の端部Ｑ’は、切込線９８が形成された部分と略対向する部分（容器本体２を中心にして略１８０°回転した位置）に於いて、向かい合っている。熱収縮性フィルム９には、第１ミシン目９４ａの他方の端部Ｑに連結され、且つ熱収縮性フィルム９の下端縁まで縦方向に延びる第１縦ミシン目９４ｂが形成されている。同様に、第２のミシン目９４ａ７の他方の端部Ｑ’に連結され、且つ熱収縮性フィルム９の下端縁まで縦方向に延びる第２縦ミシン目９４ｂ’が形成されている。
【００４０】
かかる変形例の熱収縮性フィルム９が装着された包装体１は、蓋体６の延設部８の下端部に指を掛けて、蓋体６を押し上げることにより、延設部８に対応した第１ミシン目９４ａ及び第２ミシン目９４ａ’（つまり、第１装着部９１に形成されたミシン目９４）にて分断される。本変形例では、ミシン目９４は、略半周の２本のミシン目９４ａ，９４ａ’からなるので、蓋体６を押し上げた際には、第１ミシン目９４ａ及び第２ミシン目９４ａ’の他方の端部Ｑ，Ｑ’まで分断される。その後、図１２に示すように、蓋体６を下方に引き寄せると、第１縦ミシン目９４ｂ及び第２縦ミシン目９４ｂ’に沿って熱収縮性フィルム９が縦方向に分断される。これによって、熱収縮性フィルム９の第２装着部９２を分断し、熱収縮性フィルム９全体を容器から容易に除去できる。
【図面の簡単な説明】
【００４１】
【図１】（ａ）は、一実施形態に係る包装体の正面図である。（ｂ）は、同側面図である。尚、ミシン目を表す破線と隠れ線が混同しないように、便宜上、容器本体及び蓋体を二点鎖線で示す（図３、図５、図１２においても同様）。
【図２】容器本体及び蓋体の縦断面図である。
【図３】図１の包装体を上面側から見た平面図である。
【図４】（ａ）は、筒状にされた熱収縮性フィルムの正面図である。（ｂ）は、同背面図である。（ｃ）は、ミシン目の拡大図である。
【図５】蓋体を容器本体から取り外す状態を示す包装体の側面図である。
【図６】変形例に係る蓋体と容器本体の一部省略拡大縦断面図である。
【図７】変形例１に係る筒状の熱収縮性フィルムの正面図である。
【図８】変形例２に係る筒状の熱収縮性フィルムの正面図である。
【図９】変形例３に係る筒状の熱収縮性フィルムの正面図である。
【図１０】変形例４に係る筒状の熱収縮性フィルムの正面図である。
【図１１】（ａ）は、変形例５に係る筒状の熱収縮性フィルムの正面図である。（ｂ）は、同背面図である。
【図１２】変形例５の熱収縮性フィルムの除去する状態を示す包装体の側面図である。
【符号の説明】
【００４２】
１…包装体、２…容器本体、４１…側壁部、６…蓋体、７…閉塞部、８…延設部、９…熱収縮性フィルム、９１…第１装着部、９２…第２装着部、９３…非密着部、９４…ミシン目、９６，９６’…切込線、９７，９７’…開口
【図１】
2008087766.tif 000003
【図２】
2008087766.tif 000004
【図３】
2008087766.tif 000005
【図４】
2008087766.tif 000006
【図５】
2008087766.tif 000007
【図６】
2008087766.tif 000008
【図７】
2008087766.tif 000009
【図８】
2008087766.tif 000010
【図９】
2008087766.tif 000011
【図１０】
2008087766.tif 000012
【図１１】
2008087766.tif 000013
【図１２】
2008087766.tif 000014